(57)【要約】【課題】コンパクト化及び低廉化を図り得ると共に、管理器とその通信対象の制御手段との１対１での通信を適切に行い得る自動販売機の管理装置を提供する。【解決手段】商品を販売処理する処理部Ｗを制御して、商品の販売を制御する制御手段１と、預かり金額を表示する表示部Ｄとを備えた自動販売機本体Ｍ、及び、制御手段１との間で商品販売管理のための情報を電磁波にて通信する可搬型の管理器Ｔが設けられた自動販売機の管理装置であって、管理器Ｔと通信するための制御手段側のアンテナ３が、表示部Ｄに設けられ、制御手段１及び管理器Ｔが、管理器Ｔを表示部Ｄに近接させた状態で互いに通信可能なように構成されている。【選択図】　　　　図２
2004110266.tif 000002
【特許請求の範囲】
【請求項１】
商品を販売処理する処理部を制御して、商品の販売を制御する制御手段と、預かり金額を表示する表示部とを備えた自動販売機本体、及び、前記制御手段との間で商品販売管理のための情報を電磁波にて通信する可搬型の管理器が設けられた自動販売機の管理装置であって、
前記管理器と通信するための前記制御手段側のアンテナが、前記表示部に設けられ、
前記制御手段及び前記管理器が、前記管理器を前記表示部に近接させた状態で互いに通信可能なように構成されている自動販売機の管理装置。
【請求項２】
前記管理器と通信する前記制御手段側の通信手段が、前記表示部に設けられている請求項１記載の自動販売機の管理装置。
【請求項３】
前記制御手段と前記管理器との間で通信される情報、又は、前記制御手段と前記管理器との間の通信状態を示す情報が、前記表示部に表示されるように構成されている請求項１又は２記載の自動販売機の管理装置。
【請求項４】
前記制御手段側のアンテナが、ループ状に構成され、
そのループ状のアンテナが、前記表示部における表示領域を囲む状態で配置されている請求項１〜３のいずれか１項に記載の自動販売機の管理装置。
【発明の詳細な説明】
【０００１】
【発明の属する技術分野】
本発明は、商品を販売処理する処理部を制御して、商品の販売を制御する制御手段と、預かり金額を表示する表示部とを備えた自動販売機本体、及び、前記制御手段との間で商品販売管理のための情報を電磁波にて通信する可搬型の管理器が設けられた自動販売機の管理装置に関する。
【０００２】
【従来の技術】
かかる自動販売機の管理装置は、自動販売機本体に設けられた制御部と可搬型の管理器との間で、商品販売管理のための情報を電磁波にて通信して、自動販売機による商品の販売管理を行うようにしたものであり、通常、複数の自動販売機本体が設置されるので、１台の管理器にて、複数の自動販売機本体夫々の制御手段と各別に通信することになる。
かかる自動販売機の管理装置において、従来は、管理器と通信するための制御手段側のアンテナを棒状に構成して、その棒状のアンテナを、自動販売機本体に対して、その外部に突出する状態で設けて、制御手段及び管理器を、自動販売機本体と管理器とを互いに離間させた状態で通信可能なように構成していた（例えば、特許文献１参照）。
つまり、この従来の自動販売機の管理装置は、小電力無線装置を用いて、制御手段と管理器との間で通信するように構成していた
ちなみに、自動販売機本体と管理器とを互いに離間させた状態で通信可能なように構成するに当たっては、例えば、自動販売機本体と管理器との間の距離が３０ｍ程度あっても、それらの間の通信が可能なように構成することが考えられる。
【０００３】
【特許文献１】
特開平４−３４８４９２号公報
【０００４】
【発明が解決しようとする課題】
しかしながら、従来では、管理器と通信するための制御手段側のアンテナを棒状に構成して、その棒状のアンテナを、自動販売機本体に対して、その外部に突出する状態で設けていたため、自動販売機本体が大型化するという問題があった。
又、制御手段及び管理器を、自動販売機本体と管理器とを互いに離間させた状態で通信可能なように構成していたことから、以下に説明するような問題があった。
即ち、電磁波を送信するために、比較的大きな電力の送信出力が必要となることから、制御手段と管理器との間で通信するための通信構成が複雑化し、自動販売機の管理装置の価格が高騰化するという問題があり、又、管理器が、通信対象の自動販売機本体の制御手段以外に、その通信対象の自動販売機本体とは異なる自動販売機本体の制御手段との間でも通信し易くなって、混信し易いので、管理器とその通信対象の制御手段との１対１での通信を適切に行い難いという問題があった。
【０００５】
ちなみに、通信対象の自動販売機本体とは異なる自動販売機本体の制御手段との混信を抑制するための比較例として、赤外光を用いて、上記従来のものよりも管理器を自動販売機本体に近づけて通信するように構成したものが考えられるが、この場合は、太陽光や各種人工光等の外乱光に影響されて適切に通信し難いものであった。
【０００６】
本発明は、かかる実情に鑑みてなされたものであり、その目的は、コンパクト化及び低廉化を図り得ると共に、管理器とその通信対象の制御手段との１対１での通信を適切に行い得る自動販売機の管理装置を提供することにある。
【０００７】
【課題を解決するための手段】
〔請求項１記載の発明〕
請求項１に記載の自動販売機の管理装置は、商品を販売処理する処理部を制御して、商品の販売を制御する制御手段と、預かり金額を表示する表示部とを備えた自動販売機本体、及び、前記制御手段との間で商品販売管理のための情報を電磁波にて通信する可搬型の管理器が設けられたものであって、
前記管理器と通信するための前記制御手段側のアンテナが、前記表示部に設けられ、
前記制御手段及び前記管理器が、前記管理器を前記表示部に近接させた状態で互いに通信可能なように構成されている点を特徴構成とする。
即ち、管理器を表示部に近接させることにより、管理器を、表示部に設けられている制御手段側のアンテナに近接させた状態で配置して、管理器と制御手段との間で通信させる。
つまり、制御手段側のアンテナを表示部に設けることから、制御手段側のアンテナを、自動販売機本体に本来設けられている表示部における空きスペースを利用して、自動販売機本体の外部に突出させることなく設けることが可能となり、自動販売機本体をコンパクト化することが可能となる。
又、管理器を、表示部に設けられている制御手段側のアンテナに近接させた状態で配置して、管理器と制御手段との間で通信することから、微弱電磁波を用いて通信することが可能となり、そのため、従来の如き小電力無線装置を利用する場合に比べて、電磁波を送信するための送信出力として、小さい電力で済み、前記通信構成を簡略化することが可能となり、自動販売機の管理装置を低廉化することが可能となる。
又、同様に、管理器を、表示部に設けられている制御手段側のアンテナに近接させた状態で配置して、管理器と制御手段との間で通信することから、管理器と、その通信対象ではない自動販売機本体の制御手段との間での通信がし難くなって、混信し難いので、管理器とその通信対象の制御手段との１対１での通信を適切に行うことが可能となる。
従って、コンパクト化及び低廉化を図り得ると共に、管理器とその通信対象の制御手段との１対１での通信を適切に行い得る自動販売機の管理装置を提供することができるようになった。
【０００８】
〔請求項２記載の発明〕
請求項２に記載の自動販売機の管理装置は、請求項１において、前記管理器と通信する前記制御手段側の通信手段が、前記表示部に設けられている点を特徴構成とする。
即ち、管理器と通信する制御手段側の通信手段を表示部に設ける構成とすることにより、通信手段を、表示部を構成する各部品を収納する表示部のケーシング内に設ける構成とすることが可能となる。
そして、通信手段を表示部のケーシング内に設ける構成にして、表示部のケーシングを通信手段を収納するためのケーシングとして兼用することにより、部品の削減による低廉化が可能となる。
従って、自動販売機の管理装置の低廉化を一段と図ることができるようになった。
【０００９】
〔請求項３記載の発明〕
請求項３に記載の自動販売機の管理装置は、請求項１又は２において、前記制御手段と前記管理器との間で通信される情報、又は、前記制御手段と前記管理器との間の通信状態を示す情報が、前記表示部に表示されるように構成されている点を特徴構成とする。
即ち、制御手段と管理器との間で通信すると、その制御手段と管理器との間で通信される情報、又は、制御手段と管理器との間の通信状態を示す情報が、表示部に表示される。ちなみに、制御手段と管理器との間の通信状態を示す情報としては、制御手段と管理器との間の通信が可能である状態を示す通信可能情報、制御手段と管理器との間で通信が行われている状態を示す通信中情報、制御手段と管理器との間の通信が異常である状態を示す通信異常情報等がある。
そして、表示部に、制御手段と管理器との間で通信される情報が表示される場合には、作業者は、表示部の表示内容を見て、制御手段と管理器との間の通信が適切に行われたか否かを確認することが可能となり、適切に行われなかったと分かったときは、再度通信をやり直して、適切に通信を行わせることが可能となり、もって、効率の良い作業にて、制御手段と管理器との間で適切に通信させることが可能となる。
又、表示部に、制御手段と管理器との間の通信状態を示す情報、例えば、通信可能情報、通信中情報及び通信異常情報が表示される場合には、作業者は、表示部の表示内容を見て、制御手段と管理器との間の通信が可能なときに、通信を行わせると共に、通信が異常であったと分かると、再度通信を行わせることが可能となり、もって、効率の良い作業にて、制御手段と管理器との間で適切に通信させることが可能となる。
従って、制御手段と管理器との間で商品販売管理のための情報を通信させるための作業の効率を向上することができる
【００１０】
〔請求項４記載の発明〕
請求項４に記載の自動販売機の管理装置は、請求項１〜３のいずれかにおいて、前記制御手段側のアンテナが、ループ状に構成され、
そのループ状のアンテナが、前記表示部における表示領域を囲む状態で配置されている点を特徴構成とする。
即ち、制御手段側のアンテナをループ状に構成して、そのループ状のアンテナを表示部における表示領域を囲む状態で配置する構成とすることにより、制御手段側のアンテナを、表示部における空きスペースを利用して、表示部における情報の表示の障害となることなく、且つ、管理器との間の通信を適切に行うことが可能なように、適切に配置することが可能となる。
従って、表示部における本来の情報表示機能に影響を与えることなく、自動販売機本体のコンパクト化を図りながら、管理器とその通信対象の制御手段との１対１での通信を適切に行い得るようにするに当たって、好ましい具体構成を提供することができる。
【００１１】
【発明の実施の形態】
〔第１実施形態〕
以下、図面に基づいて、本発明の第１実施形態を説明する。
図２に示すように、自動販売機の管理装置は、商品を販売処理する処理部Ｗを制御して、商品の販売を制御する制御手段としての本体側制御部１と、預かり金額等を表示する表示部Ｄとを備えた自動販売機本体Ｍ、及び、本体側制御部１との間で商品販売管理のための情報を電磁波にて通信する可搬型の管理器Ｔとを備えて構成してある。通常、複数の自動販売機本体Ｍを設け、１台の管理器Ｔと、複数の自動販売機本体Ｍそれぞれの本体側制御部１と各別に１対１で通信することになる。
図１に示すように、表示部Ｄは、その情報の表示面が、自動販売機本体Ｍの前面を開閉する前扉２の表面に位置して外部から見える状態で、自動販売機本体Ｍ内に設け、本体側制御部１及び処理部Ｗは、自動販売機本体Ｍ内に設けてある。
【００１２】
図２に示すように、本体側制御部１と管理器Ｔとの間で通信するために、自動販売機本体Ｍに、本体側アンテナ３（制御手段側のアンテナに相当する）及び本体側通信部４（制御手段側の通信手段に相当する）を設け、管理器Ｔに、管理器側アンテナ５及び管理器側通信部６を設けてある。
【００１３】
図２ないし図４に示すように、本体側アンテナ３を表示部Ｄに設け、本体側制御部１及び管理器Ｔを、管理器Ｔを表示部Ｄに近接させた状態で互いに通信可能なように構成してある。
又、本体側通信部４も、表示部Ｄに設けてある。
【００１４】
図１に示すように、自動販売機本体Ｍの前扉２の表面側には、商品見本を展示する展示ケース７、商品見本に対し各別に対応させて配置した複数の商品選択ボタン８、商品取出口９、紙幣挿入口１０、硬貨投入口１１、返却レバー１２、硬貨返却口１３などを設けてある。
【００１５】
処理部Ｗは周知であるので、処理部Ｗの詳細な説明及び図示は省略して、簡単に説明すると、処理部Ｗは、挿入紙幣及び投入硬貨を処理する貨幣処理装置、各別に複数の商品を収納する複数の商品収納部、その商品収納部の収納商品を順次に払い出す払出装置、各商品収納部における収納商品の存否を検出する商品検出センサ等を備えて構成してある。
【００１６】
図２ないし図４に示すように、表示部Ｄは、７セグメントのＬＥＤから構成されて預かり金額を表示する金額表示器１４と、点灯により紙幣が使用できないことを表示するお札中止表示ランプ１５と、点灯によりつり銭切れを表示する２個のつり銭切れ表示ランプ１６と、点灯により管理器Ｔとの通信が可能である状態を示す情報を表示する通信可能表示ランプ１７と、点灯により管理器Ｔとの通信中である状態を示す情報を表示する通信中表示ランプ１８と、点灯により管理器Ｔとの通信が異常であった状態を示す情報を表示する通信異常表示ランプ１９と、それら金額表示器１４及び複数のランプ１５〜１９夫々を作動する表示用制御部２０とを備えて構成してある。
【００１７】
つまり、図３に示すように、お札中止表示ランプ１５の横に、「お札中止」と印刷にて表示してあり、そのお札中止表示ランプ１５を点灯させることにより、紙幣が使用できない状態を示す情報を表示することになり、２個のつり銭切れ表示ランプ１６の横には、それぞれ、「１００円つり銭切れ」、「１０円つり銭切れ」と印刷にて表示してあり、その２個のつり銭切れ表示ランプ１６を点灯させることにより、つり銭切れを示す情報を表示することになる。
又、通信可能表示ランプ１７の横には、「通信可能」と印刷にて表示してあり、その通信可能表示ランプ１７を点灯させることにより、本体側制御部１と管理器Ｔとの間の通信が可能である状態を示す通信可能情報を表示し、通信中ランプ１８の横には「通信中」と印刷してあり、その通信中ランプ１８を点灯させることにより、本体側制御部１と管理器Ｔとの間で通信が行われている状態を示す通信中情報を表示することになり、通信異常ランプ１９の横には、「通信異常」と印刷してあり、その通信異常ランプ１９を点灯させることにより、本体側制御部１と管理器Ｔとの間の通信が異常である状態を示す通信異常情報を表示することになる。
【００１８】
図４に示すように、表示用制御部２０は、表示用基板２１を用いて構成し、その表示用基板２１に、金額表示器１４及び複数のランプ１５〜１９を組み付けてある。但し、図４においては、金額表示器１４が表示用基板２１に組み付けられている状態を示す。
【００１９】
図４に示すように、表示部Ｄは、ケーシング２２内に、上述の表示用基板２１及び以下に説明する各構成部品を組み付けて構成してある。
ケーシング２２は、概ね有底角筒状に形成されたケーシング本体部２２ｍと、その有底角筒状のケーシング本体部２２ｍの開口部を閉じる透明の蓋部２２ｃとから構成してある。
表示用基板２１を、その表示用基板２１における金額表示器１４を搭載した側の面を有底角筒状のケーシング本体部２２ｍの開口部側に向けた姿勢で、ケーシング本体部２２ｍの軸芯方向中間部に組み付けてある。
【００２０】
表示用基板２１における金額表示器１４の搭載部分の周囲に、仕切り部材２３を立設し、その仕切り部材２３に対して、フィルタ２４を金額表示器１４を覆う状態で支持してある。ちなみに、フィルタ２４は赤紫色に着色された透明のプラスチック製であり、赤色にて表示する金額表示器１４の表示を見易くするためのものである。
更に、ケーシング本体部２２ｍの開口部に、その開口部の略全体にわたる透明状のシート２５を配設した状態で、ケーシング本体部２２ｍの開口部を蓋部２２ｃにて閉じてある。
【００２１】
本体側アンテナ３及び本体側通信部４について説明を加える。
図２ないし図４に示すように、本体側アンテナ３を、本体側送信用アンテナ３ｔと本体側受信用アンテナ３ｒとから構成し、それら本体側送信用アンテナ３ｔ及び本体側受信用アンテナ３ｒをそれぞれループ状に構成して、それらループ状の本体側送信用アンテナ３ｔ及び本体側受信用アンテナ３ｒを、表示部Ｄの表示面側から見て、金額表示器１４を囲む状態、即ち、表示部Ｄにおける表示領域を囲む状態となるように、シート２５に二重ループ状に敷設してある。つまり、表示部Ｄに本来設けてあるシート２５に、本体側アンテナ３を一体的に敷設して、部品点数の削減によるコストダウンを図っている。
【００２２】
本体側通信部４は、本体側制御部１との間で信号を入出力するインターフェイス部４ａと、そのインターフェイス部４ａからの信号を変調する変調部４ｂと、その変調部４ｂにて変調された信号を本体側送信用アンテナ３ｔを介して送信するドライバ４ｃと、本体側受信用アンテナ３ｒを介して所定の信号を受信すると共に受信信号を増幅するフィルタ・増幅部４ｄと、そのフィルタ・増幅部４ｄからの信号を復調して前記インターフェイス部４ａに送る復調部４ｅとを備えて構成してある。
【００２３】
図４に示すように、本体側通信部４は、通信用基板２６を用いて構成し、その通信用基板２６を、ケーシング２２の有底角筒状のケーシング本体部２２ｍの底部に設けてある。
つまり、上述したように、本体側アンテナ３及び本体側通信部４を表示部Ｄに設けてある。
【００２４】
本体側制御部１は、上述したように処理部Ｗを制御する他、表示部Ｄ及び本体側通信部４を制御し、図２に示すように、自動販売機本体Ｍには、本体側制御部１が処理部Ｗ等を制御するための制御情報、及び、本体側制御部１が処理部Ｗ等を制御して取得した商品販売管理のための情報を記憶するための本体側記憶部２７を設けてある。
【００２５】
本体側制御部１が処理部Ｗを制御して商品の販売を制御する制御構成は周知であるので、詳細な説明は省略して、以下、簡単に説明する。
本体側記憶部２７には、管理器側通信部６から送信されてきて本体側通信部４が受信したところの各商品選択ボタン８と前記商品収納部、商品コード、商品価格及び収納個数との対応関係（以下、販売条件設定情報と略記する場合がある）が記憶されている。
【００２６】
本体側制御部１は、前記貨幣処理装置の処理結果に基づいて、表示用紙幣挿入口１０及び硬貨投入口１１にて預かった預かり金額を表示部Ｄの金額表示器１４に表示させるように表示用制御部２０を制御し、又、つり銭切れが発生すると、つり銭切れが発生した硬貨に対応するつり銭切れ表示ランプ１６を点灯させるように表示用制御部２０を制御し、又、つり銭切れが発生したとき等、紙幣が使用できなくなると、お札中止表示ランプ１５を点灯させるように表示用制御部２０を制御する。
そして、本体側制御部１は、いずれかの商品選択ボタン８が操作されると、以下のように商品払い出し制御を実行する。
即ち、前記貨幣処理装置における預り金額がその操作ボタン８に対応付けられた商品価格以上であることを条件に、その操作ボタン８に対応する前記商品収納部の前記払出装置を作動させて、その商品収納部における収納商品を商品取出口９への案内シュート（図示せず）へ払い出す。
又、本体側制御部１は、前述のようにして商品払い出し制御を実行する過程で、日毎に、商品コード別に販売個数及び販売額を集計して、その集計した日毎の商品コード別の販売個数及び販売額（以下、販売実績情報と略記する場合がある）を、本体側記憶部２７に記憶させる。
又、本体側制御部１は、前述のようにして商品払い出し制御を実行する過程で発生する各部（例えば、前記払出装置や前記貨幣処理装置等）の故障を検出すると共に、故障の発生回数を、予め故障内容に対応付けられて設定された故障コード別に集計し、そのように集計した故障コード別の発生回数（以下、稼動情報と略記する場合がある）を、本体側記憶部２７に記憶させる。
【００２７】
管理器Ｔについて説明を加える。図２に示すように、管理器Ｔは、上述の管理器側アンテナ５及び管理器側通信部６の他に、通信の開始の指令や送信情報を入力するための操作部２８と、操作部２８からの入力情報等を表示する表示器２９と、本体側通信部４との間で通信する情報を記憶する管理器側記憶部３０と、それら管理器側通信部６、表示器２９及び管理器側記憶部３０を制御する管理器側制御部３１とを備えて、携帯可能なように構成してある。
【００２８】
図２に基づいて、管理器側アンテナ５及び管理器側通信部６について説明を加える。
管理器側アンテナ５は、管理器側送信用アンテナ５ｔと管理器側受信用アンテナ５ｒとから構成し、図示は省略するが、それら管理器側送信用アンテナ５ｔ及び管理器側受信用アンテナ５ｒを、管理器Ｔを構成するケーシング内の先端に配設してある。
管理器側通信部６は、管理器側制御部３１との間で信号を入出力するインターフェイス部６ａと、そのインターフェイス部６ａからの信号を変調する変調部６ｂと、その変調部６ｂにて変調された信号を管理器側送信用アンテナ５ｔを介して送信するドライバ６ｃと、管理器側受信用アンテナ５ｒを介して所定の信号を受信すると共に受信信号を増幅するフィルタ・増幅部６ｄと、そのフィルタ・増幅部６ｄからの信号を復調して前記インターフェイス６ａに送る復調部６ｅとを備えて構成してある。
【００２９】
そして、本体側通信部４及び管理器側通信部６それぞれは、送信情報を微弱電波にて送信するように構成して、管理器Ｔにおける管理器側アンテナ５を配設した先端部分を、表示部Ｄに近接させて、管理器側アンテナ５と本体側アンテナ３とを近接させることにより、本体側通信部４と管理器側通信部６との間で通信可能なように構成してある。ちなみに、本体側通信部４と管理器側通信部６との間で通信可能な管理器側アンテナ５と本体側アンテナ３との間の距離は、例えば、数ｃｍ以内に設定してある。
つまり、上述したように、本体側制御部１及び管理器Ｔを、管理器Ｔを表示部Ｄに近接させた状態で互いに通信可能なように構成してある。
【００３０】
以下、本体側制御部１と管理器Ｔとの間で通信するための制御構成について説明する。
本体側制御部１は、常時、本体側通信部４を管理器側通信部６との間で通信可能なように制御している。そして、本体側制御部１は、本体側通信部４が管理器側通信部６からの送信情報であると見なされる情報を受信していない間は、本体側制御部１と管理器Ｔとの間、即ち、本体側通信部４と管理器側通信部６との間の通信が可能な状態であるとして、通信可能表示ランプ１７を点灯させ、又、本体側通信部４が管理器側通信部６からの送信情報を受信した時点で、本体側制御部１と管理器Ｔとの間、即ち、本体側通信部４と管理器側通信部６との間で通信中であるとして、通信可能表示ランプ１７を消灯させると共に、通信中ランプ１８を点灯させ、更には、本体側制御部１と管理器Ｔとの間、即ち、本体側通信部４と管理器側通信部６との間の通信が異常であったと判別したときは、通信中ランプ１８を消灯させると共に、通信異常ランプ１９を点灯させる。ちなみに、本体側制御部１は、本体側通信部４が管理器側通信部６からの送信情報を適切に受信しなかったときや、本体側通信部４から情報を送信したにもかかわらず、管理器側通信部６から受信完了情報が送信されてこなかったとき等に、本体側通信部４と管理器側通信部６との間の通信が異常であったと判別する。
つまり、通信可能表示ランプ１７の点灯にて表示されるところの、本体側制御部１と管理器Ｔとの間の通信が可能である状態を示す通信可能情報、通信中ランプ１８の点灯にて表示されるところの、本体側制御部１と管理器Ｔとの間で通信が行われている状態を示す通信中情報、及び、通信異常ランプ１９の点灯により表示されるところの、本体側制御部１と管理器Ｔとの間の通信が異常である状態を示す通信異常情報が、本体側制御部１と管理器Ｔとの間の通信状態を示す情報に相当する。そして、その本体側制御部１と管理器Ｔとの間の通信状態を示す情報を表示部Ｄに表示するように構成してある。
【００３１】
作業者は、操作部２８により販売条件設定情報を入力して、送信指令を指令すると、管理器側制御部３１は、操作部２８に入力された販売条件設定情報を送信するように管理器側通信部６を制御し、管理器側通信部６から送信された販売条件設定情報を本体側通信部３が受信すると、本体側制御部１は、そのように本体側通信部４が受信した販売条件設定情報を本体側記憶部２７に記憶させる。
【００３２】
作業者は、自動販売機本体の販売実績情報を取得するときは、操作部２８により、販売実績情報要求指令を指令すると、管理器側制御部３１は、販売実績情報要求情報を送信するように管理器側通信部６を制御し、管理器側通信部６から送信された販売実績情報要求情報を本体側通信部４が受信すると、本体側制御部１は、本体側記憶部２７に記憶されている販売実績情報を送信するように本体側通信部４を制御する。
そして、管理器側制御部３１は、管理器側通信部６が本体側通信部４からの販売実績情報を受信すると、受信した販売実績情報を管理器側記憶部３０に記憶させる。
【００３３】
又、作業者は、自動販売機本体の稼動情報を取得するときは、操作部２８により、稼動情報要求指令を指令すると、管理器側制御部３１は、稼動情報要求情報を送信するように管理器側通信部６を制御し、管理器側通信部６から送信された稼動情報要求情報を本体側通信部４が受信すると、本体側制御部１は、本体側記憶部２７に記憶されている稼動情報を送信するように本体側通信部４を制御する。
そして、管理器側制御部３１は、管理器側通信部６が本体側通信部４からの稼動情報を受信すると、受信した稼動情報を管理器側記憶部３０に記憶させる。
つまり、販売条件設定情報、販売実績情報及び稼動情報が商品販売管理のための情報に相当する。
【００３４】
以下、本発明の第２及び第３の各実施形態を説明するが、各実施形態においては、第１実施形態と同じ構成要素や同じ作用を有する構成要素については、重複説明を避けるために、同じ符号を付すことにより説明を省略し、主として、第１実施形態と異なる構成を説明する。
【００３５】
〔第２実施形態〕
以下、図面に基づいて、本発明の第２実施形態を説明する。
図１ないし図３及び図５に示すように、第２実施形態においては、表示用制御部２０及び本体側通信部４を１枚の共通基板３２を用いて一体的に構成した以外は、第１実施形態と同様に構成してある。
図５に基づいて説明を加えると、表示用制御部２０及び本体側通信部４を共通基板３２を用いて構成すると共に、その共通基板３２に、第１実施形態と同様に、金額表示器１４及び複数のランプ１５〜１９を組み付け、その共通基板３２を第１実施形態と同様に、ケーシング２２内に組み付けてある。従って、表示用制御部２０及び本体側通信部４を共通基板３２を用いて構成することにより、製造工程の簡素化並びに部品点数の削減を図ることができるので、コストダウンを一段と図ることができる。
【００３６】
本体側制御部１が処理部Ｗを制御して商品の販売を制御する制御構成、及び、本体側制御部１と管理器Ｔとの間で通信するための制御構成は、上述の第１実施形態と同様であるので説明を省略する。
つまり、第２実施形態においても、第１実施形態と同様に、本体側制御部１と管理器Ｔとの間の通信状態を示す情報を表示部Ｄに表示するように構成してある。
【００３７】
〔第３実施形態〕
以下、図面に基づいて、本発明の第３実施形態を説明する。
第３実施形態においては、金額表示器１４を数字及び文字情報等が表示可能なように例えばマトリクス型の表示装置にて構成した点、及び、その金額表示器１４に本体側制御部１と管理器Ｔとの間で通信される情報を表示するように構成した点以外は、第１実施形態と同様に構成してある。
金額表示器１４の構成上の違いの図示は省略してあるので、第１実施形態の自動販売機の管理装置を図示する図１ないし図４にて、第３実施形態における自動販売機の管理装置が示される。
【００３８】
本体側制御部１が処理部Ｗを制御して商品の販売を制御する制御構成は、上述の第１実施形態と同様であるので説明を省略する。
以下、本体側制御部１と管理器Ｔとの間で通信するための制御構成について説明する。
本体側制御部１は、第１実施形態と同様に、常時、本体側通信部４を管理器側通信部６との間で通信可能なように制御し、第１実施形態と同様に、通信可能表示ランプ１７、通信中ランプ１８及び通信異常ランプ１９を用いて、本体側通信部４と管理器側通信部６との間の通信が可能な状態を示す情報、本体側通信部４と管理器側通信部６との間で通信中である状態を示す情報、及び、本体側通信部４と管理器側通信部６との間の通信が異常であることを示す情報を表示する。
つまり、第３実施形態においても、第１実施形態と同様に、本体側制御部１と管理器Ｔとの間の通信状態を示す情報を表示部Ｄに表示するように構成してある。
【００３９】
本体側制御部１は、管理器側通信部６から送信されてきた販売条件設定情報を本体側通信部４が受信すると、そのように本体側通信部４が受信した販売条件設定情報を本体側記憶部２７に記憶させると共に、その販売条件設定情報を金額表示器１４に表示させるように表示用制御部２０を制御する。
又、本体側制御部１は、本体側通信部４が管理器側通信部６から送信されてきた販売実績情報要求情報を受信すると、本体側記憶部２７に記憶されている販売実績情報を送信するように本体側通信部４を制御すると共に、その販売実績情報を金額表示器１４に表示させるように表示用制御部２０を制御する。
又、本体側制御部１は、本体側通信部４が管理器側通信部６から送信されてきた稼動情報要求情報を受信すると、本体側記憶部２７に記憶されている稼動情報を送信するように本体側通信部４を制御すると共に、その稼動情報を金額表示器１４に表示させるように表示用制御部２０を制御する。
つまり、上述したように、金額表示器１４に、本体側制御部１と管理器Ｔとの間で通信される情報を表示するように構成してある。
【００４０】
〔別実施形態〕
次に別実施形態を説明する。
（イ）　上記の実施形態においては、本体側アンテナ３として、互いに別体の本体側送信用アンテナ３ｔと本体側受信用アンテナ３ｒとから構成する場合について例示したが、送信及び受信を兼用する１個の送受信用アンテナから構成しても良い。
【００４１】
（ロ）　本体側アンテナ３を表示部Ｄに設ける場合の設置場所及び設置形態は、上記の実施形態において例示したものに限定されるものではない。
例えば、本体側アンテナ３を、金額表示器１４及びランプ１５〜１９の外周を囲む状態で敷設しても良い。
又、本体側アンテナ３を、表示用基板２１や共通基板３２に設けても良い。
【００４２】
（ハ）　本体側通信部４と管理器側通信部６との間での通信を可能にする管理器側アンテナ５と本体側アンテナ３との間の距離は、上記の実施形態において例示した数ｃｍに限定されるものではなく、通信対象以外の自動販売機本体の本体側通信部４との混信を防止できるという条件で変更設定可能であり、数ｃｍよりも短くしてもあるいは長くしても良い。
【００４３】
（ニ）　表示部Ｄを、表示画面を備えた１個の表示装置（例えば、ドットマトリクス型の液晶ディスプレイ）を備えて構成し、その１個の表示装置を用いて、預かり金額、紙幣が使用できないことを示す情報、つり銭切れを示す情報、本体側制御部１と管理器Ｔとの間の通信状態を示す情報、及び、本体側制御部１と管理器Ｔとの間で通信される情報を表示するように構成しても良い。
【図面の簡単な説明】
【図１】第１ないし第３の各実施形態にかかる自動販売機の管理装置を示す斜視図
【図２】第１ないし第３の実施形態にかかる自動販売機の管理装置のブロック図
【図３】第１ないし第３の各実施形態にかかる自動販売機の管理装置における表示部の正面図
【図４】第１及び第２の各実施形態にかかる自動販売機の管理装置における表示部の縦断側面図
【図５】第２実施形態にかかる自動販売機の管理装置における表示部の縦断側面図
【符号の説明】
１　制御手段
３　制御手段側のアンテナ
４　制御手段側の通信手段
Ｄ　表示部
Ｍ　自動販売機本体
Ｔ　管理器
Ｗ　処理部
【図１】
2004110266.tif 000003
【図２】
2004110266.tif 000004
【図３】
2004110266.tif 000005
【図４】
2004110266.tif 000006
【図５】
2004110266.tif 000007